【手続補正書】
【提出日】平成24年10月29日(2012.10.29)
【手続補正１】
【補正対象書類名】明細書
【補正対象項目名】０００６
【補正方法】変更
【補正の内容】
【０００６】
上記の目的を達成するため、本発明では以下のような解決手段を採っている。
本発明の第１の解決手段は、像担持体上に潜像を形成する潜像形成手段と、前記像担持体上の潜像を現像して可視像化する現像手段と、前記像担持体上の画像を記録部材に直接又は中間転写体を介して転写する転写手段と、前記記録部材に転写された画像を定着する定着手段を備えた画像形成装置において、顧客に最適な印刷条件を見つけるため、定着条件、転写条件、通紙評価のパラメータとして定着温度、定着ニップ幅、定着の線速（定着部材（定着ローラ又は定着ベルト）の回転速度等）、２次転写電流、デカーラ量を自動で組合せ、各印刷条件で記録部材に印刷を行う手段と、前記印刷を行った記録部材の中から選択された記録部材の印刷に使用された前記パラメータを記録する記憶装置とを備えたことを特徴とする（請求項１）。
【手続補正２】
【補正対象書類名】明細書
【補正対象項目名】０００７
【補正方法】変更
【補正の内容】
【０００７】
本発明の第２の解決手段は、第１の解決手段の画像形成装置において、前記記憶装置は、画像不良を発生させないような前記パラメータを組み合わせたパラメータ組を複数記憶し、前記記憶されたパラメータ組から選択された前記パラメータ組で印刷を行って、最良な印刷として選択された記録部材の印刷に使用された前記パラメータ組を記憶することを特徴とする（請求項２）。
本発明の第３の解決手段は、第１または第２の解決手段の画像形成装置において、印刷実施時に、前記の定着温度、定着ニップ幅、定着の線速、２次転写電流、デカーラ量の各パラメータの値と、印刷順に割り当てられた任意の番号と、印刷日時を印字する手段を備えたことを特徴とする（請求項３）。
本発明の第４の解決手段は、第３の解決手段の画像形成装置において、前記パラメータ値を識別子に変換（例えば２次元コード、１次元コード等の識別コードに変換）して印字する手段を備えたことを特徴とする（請求項４）。
【手続補正３】
【補正対象書類名】明細書
【補正対象項目名】００３６
【補正方法】変更
【補正の内容】
【００３６】
次に、タッチパネル上の画面の「名前を付けない」ボタンを押下した場合（Ｓ４−５）、保存される名前は日付が自動的に入力され、給紙トレイに設定を反映するかどうかの選択画面に切り替わる（Ｓ４−６）。そして画面に「反映する」ボタンと「反映しない」ボタンが表示され、「反映する」ボタンを押下した場合、使用した給紙トレイにパラメータが反映され（Ｓ４−８）、保存及び設定が終了する（Ｓ４−９）。このパラメータの反映機能により、使用する記録部材の評価後すぐに最適な印刷条件での印刷が可能になるため、顧客の作業効率を上げる効果がある。また、「反映しない」ボタンを押下した場合は、保存及び設定が終了する（Ｓ４−９）。
【手続補正４】
【補正対象書類名】明細書
【補正対象項目名】００３８
【補正方法】変更
【補正の内容】
【００３８】
また、パラメータを保存した場合、オペレータパネル２７上の「以前のパラメータを呼び出す」ボタンを押下することで、以前に保存したパラメータの名前が一覧で表示され、再設定したいパラメータを選択することで給紙トレイに再設定することができる。また、画像形成装置１のコントローラボード２６に設けた記憶装置に保存したパラメータは、画像形成装置１に備え付けられた図示しないデータ保存装置に、例えばＳＤカードやＵＳＢメモリ等を差込み、オペレータパネル２７上で、「パラメータのコピー」ボタンを押下することで、選択したパラメータをＳＤカードやＵＳＢメモリ等に保存し、他の画像形成装置に反映することが可能である。このパラメータを他の画像形成装置に反映する機能により、一度評価した記録部材に対して、他の装置での評価を省くことができるため、顧客の作業効率を上げる効果がある。
【手続補正５】
【補正対象書類名】特許請求の範囲
【補正対象項目名】全文
【補正方法】変更
【補正の内容】
【特許請求の範囲】
【請求項１】
像担持体上に潜像を形成する潜像形成手段と、前記像担持体上の潜像を現像して可視像化する現像手段と、前記像担持体上の画像を記録部材に直接又は中間転写体を介して転写する転写手段と、前記記録部材に転写された画像を定着する定着手段を備えた画像形成装置において、
顧客に最適な印刷条件を見つけるため、定着条件、転写条件、通紙評価のパラメータとして定着温度、定着ニップ幅、定着の線速、２次転写電流、デカーラ量を自動で組合せ、
各印刷条件で記録部材に印刷を行う手段と、前記印刷を行った記録部材の中から選択された記録部材の印刷に使用された前記パラメータを記録する記憶装置とを備えたことを特徴とする画像形成装置。
【請求項２】
請求項１に記載の画像形成装置において、
前記記憶装置は、画像不良を発生させないような前記パラメータを組み合わせたパラメータ組を複数記憶し、前記記憶されたパラメータ組から選択された前記パラメータ組で印刷を行って、最良な印刷として選択された記録部材の印刷に使用された前記パラメータ組を記憶することを特徴とする画像形成装置。
【請求項３】
請求項１または２に記載の画像形成装置において、
印刷実施時に、前記の定着温度、定着ニップ幅、定着の線速、２次転写電流、デカーラ量の各パラメータの値と、印刷順に割り当てられた任意の番号と、印刷日時を印字する手段を備えたことを特徴とする画像形成装置。
【請求項４】
請求項３に記載の画像形成装置において、
前記パラメータ値を識別子に変換して印字する手段を備えたことを特徴とする画像形成装置。
【請求項５】
請求項１乃至４のいずれか一つに記載の画像形成装置において、
識別子の読み取り手段を具備することを特徴とする画像形成装置。
【請求項６】
請求項４に記載の画像形成装置において、
識別子の読み取り手段を具備し、印刷実施時に、識別子に変換されたパラメータ値の印字を前記識別子の読み取り手段にて読み取り、記憶装置に記憶する手段を具備したこと特徴とする画像形成装置。
【請求項７】
請求項１乃至６のいずれか一つに記載の画像形成装置において、
印刷実施時に、計測手段間で所定範囲内で動作しているかの可否を判断する手段を備え、判断結果が否の場合は基準量を補正後に記憶装置に記憶し、事前の印刷確認と、同一条件の印刷時に反映することを特徴とする画像形成装置。
【請求項８】
請求項１乃至７のいずれか一つに記載の画像形成装置において、
印刷実施時に、使用する記録部材に合わせて前記の定着条件、転写条件、通紙評価のパラメータの組合せを顧客又はオペレータが任意に選択できる手段を備えたことを特徴とする画像形成装置。
【請求項９】
請求項１乃至８のいずれか一つに記載の画像形成装置において、
印刷実施時に、印刷する画像を、ユーザーが任意に選択、取り込みを行った画像で印刷できる手段を備えたことを特徴とする画像形成装置。
【請求項１０】
請求項１乃至９のいずれか一つに記載の画像形成装置において、
温度、湿度などの装置環境に合わせて前記の各パラメータ群を選択して印刷する手段を備えたことを特徴とする画像形成装置。
【請求項１１】
請求項３乃至１０のいずれか一つに記載の画像形成装置において、
印刷実施時に、印字した番号とその番号の各パラメータの値を記憶装置に記憶及び読み出しする手段を備えたことを特徴とする画像形成装置。
【請求項１２】
請求項３乃至１１のいずれか一つに記載の画像形成装置において、
印刷実施時に、印刷順に割り当てられた任意の番号と前記パラメータ値を組合せて記憶装置に記憶し、任意に割り当てた番号を選択することで前記パラメータ値を自動設定する手段を備えたことを特徴とする画像形成装置。
【請求項１３】
請求項１乃至１２のいずれか一つに記載の画像形成装置において、
印刷実施時に使用した各パラメータに名前を付けて記憶装置に記憶する手段を備えたことを特徴とする画像形成装置。